Podtech/llm-jp-corpus-v4-ja_patent huggingface dataset:
(57)【要約】【課題】インクタンク交換時、インクタンクジョイント部からの残インク漏れを防ぐ。インクタンク接続時、インクタンクジョイント部からの気泡の混入を防ぐ。【解決手段】１ジョイントに対し、２セプタム用意し、セプタム間に各セプタムに接続する両頭注射針を配置する。インクタンクの着脱動作に対応して、両頭注射針が移動する機構を設ける。【選択図】        図１
2004175004.tif 000002
【特許請求の範囲】
【請求項１】
インクタンク交換時、ヘッド側流路との接続を着脱させるジョイントにおいて（１）インクタンク側及びヘッド側流路の接続端は共にセプタム構造であって（２）互いに相反する方向に２つの注射針をもつジョイントであって、（３）２つの注射針は同時に各セプタムに突きささり、引き抜かれるジョイント移動機構であり、または（４）引き抜かれる時はヘッド側流路のセプタムが先行することを特徴としたジョイント。
【発明の詳細な説明】
【０００１】
【発明の属する技術分野】
本発明はＦＭプリンタのインクタンクジョイントに関するものである。
【０００２】
【従来の技術】
（１）ヘッド側流路の接続端が注射針構造であり、インクタンク側がセプタム構造となっている。
【０００３】
（２）ヘッド側流路のジョイント付近にシャットバルブを設けている。
【０００４】
【発明が解決しようとする課題】
一般にＦＭヘッド部のインクは適正なメニスカス形成やインクたれ防止の為負圧に保つ必要がある。負圧発生のためのインクタンクをＦＭヘッド下方に配置し、その水頭差を利用する場合が多い。
【０００５】
（１）の場合、インクタンクを抜き去ると、水頭差の影響でＦＭヘッドやインク流路部のインクが注射針より漏出し、インクタンク接続後ＦＭヘッドやインク流路部内に空気が侵入してしまう。
【０００６】
（２）の場合、シャットバルブは一般に高価な機器であり、プリンタ価格が高くなるとともにバルブ操作が必要になる。
【０００７】
【課題を解決するための手段】
ヘッド側流路の接続端をセプタム構造にすれば良い。
【０００８】
セプタム−シャットバルブ代役
操作−インクタンク設置操作・共用
ゴムセプタムは安価
【０００９】
【発明の実施の形態】
（第１の実施例）
図１，２に示す。図１に於いてインクタンク１は４のトレーに装填されている。１ａのセプタム部を有する４はｌだけスライドする（矢印方向）。２はインク供給口（固定）、２ａはセプタム部、３はインクジョイント、相反する方向に２本の注射針部３ａを有す。２本の２ａは互いに導通している。
【００１０】
図２は１と２が接続していない図である。２には２ｂのラック部がある。３には回転自在の３ｂのピニオン部がある。４には４ａのラック部がある。４ａは３ｂと、２ｂは３ｂと噛み合せてあり、４がｌだけ矢印の方向に移動すると、２ｂは固定だから３ｂすなわち３は矢印の補講へ１／２  ｌスライドすることになる。すなわち１ａと３ａ、３ａと２ａは同時に突きささる事になる。接続解除は１を引き抜く事により、１ａと３ａ、３ａと２ａは同時に引き抜かれるため、１ａ，２ａからインクが漏れることはない。３ａ内の残インクは毛細管現象等により、針管内に保たれる。１の交換時の短い間だけ保たれていれば、次の接続時に空気が混入することはない。
【００１１】
（第２の実施例）
図３に示す。１を４に装填し、４をスライドさせると１ａで３を押し２ａを突くことになる。２つの３ａはそれぞれ１ａと２ａに先端が同時に突きささるため１のインクが３ａから漏出することはない。更に４を押し込むと、突きさし抵抗の小の方から３ａはセプタムを突き抜け、１ａと２ａ両方突き抜けた時１と２は導通しインクが供給される。４には４ｂのストップレバー部が設置されており、２ａから３ａが抜けた位置で３を係止させる。６は４ｂの解除カムで、２ａから３ａが抜けた状態で、１ａから３ａが抜け始める時から抜け切る迄４ｂを解除する。すなわち１のインクが空になり、新しい１と交換する時、必ず２ａ側から３ａは抜ける事になり、２から５や１１からの残インクが漏れる事はない。従って２から空気が侵入する事もない。
【００１２】
【発明の効果】
以上説明したように、本発明によれば、
（１）インクタンクの交換時のジョイント部でのインク漏出や管路内への空気侵入はない。
【００１３】
（２）シャットバルブ等必要ない為、操作手間が省け高価部品を使用することもない。
【図面の簡単な説明】
【図１】実施例１の側面模式図でありジョイント部分の断面図。
【図２】実施例１の平面模式図。
【図３】実施例２の平面模式図。
【符号の説明】
１  インクタンク
１ａ  セプタム部
１ｂ  インク袋
２  インク供給口
２ａ  セプタム部
２ｂ  ラック部
３  インクジョイント
３ａ  注射針部
３ｂ  ピニオン部
３ｃ  フック部
４  トレー
４ａ  ラック部
４ｂ  ストップレバー部
４ｃ  ばね
５  チューブ
１１  ＦＭヘッド
１２  用紙搬送部
【図１】
2004175004.tif 000003
【図２】
2004175004.tif 000004
【図３】
2004175004.tif 000005
(57)【要約】【課題】ポリエチレン袋類の設置が、きれいにできゴミが詰まることがなく、しかも、手足を汚さずゴミを圧縮でき、重いポリエチレン袋類を楽に取り出せて、低い場所でも設置できるゴミ箱を提供する。【解決手段】空気弁具（１１）に、空気弁（１５）を設けた空気弁具（１１）を枠型状の外枠（１０）の下部の内側に固着し、空気弁具（１１）に、空気弁（１５）と巻き込み防止（１６）を設けた空気弁具（１１）を箱状の内枠（１２）の上部の外側に固着し、枠型状の外枠（１０）の上部から箱状の内枠（１２）を中に通し、箱状の内枠（１２）の下部に土台（１３）を固着し、枠型状の外枠（１０）の上部にポリエチレン袋類固定具（８）を合し、入り口カバー取り付け（２）に凹形（６）を設け、凸形（５）を設けた入り口カバー（１）が回転するように癒着し、入り口カバーの取り付け（２）の両左右に凹（３）を設け、凸形（７）を設けた癒着具（４）を少し回転できるよう凹形（３）に癒着し、枠型状の外枠（１０）の上部の外側に、癒着具（４）を合着できる凸形（９）を設けことを特徴とする。【選択図】  図３
2004175565.tif 000002
【特許請求の範囲】
【請求項１】
空気弁具（１１）を枠型状の外枠（１０）の下部の内側に固着し、空気弁具（１１）を箱状の内枠（１２）の上部の外側に固着し、箱状の内枠（１２）の下部に土台（１３）を固着し、枠型状の外枠（１０）の上部にポリエチレン袋類固定具（８）を合着し、入り口カバーの取り付け（２）に入り口カバー（１）を設けて回転するように癒着し、入り口カバー取り付け（２）の両左右に癒着具（４）を設けて少し回転できるように癒着し、枠型状の外枠（１０）の上部に凸を設けて癒着具（４）を合着したゴミ箱。
【発明の詳細な説明】
【０００１】
【発明の属する技術分野】
この発明は、ゴミ箱の中にポリエチレン袋類を設置したとき、ゴミ箱とポリエチレン袋類の間に入った空気を除去し、ゴミ箱の中に入ったゴミを押さえて圧縮を行い、ゴミが溜まった重いポリエチレン袋類を高く持ち上げなくても出せて、ゴミ箱の設置場所が低い場所でも小さくして使用できる、ゴミ箱に関するものである。
【０００２】
【従来の技術】
従来、ゴミ箱にポリエチレン袋類を設置してゴミを入れていた。
【０００３】
【発明が解決しようとする課題】
これは次のような欠点があった。
イ、  ゴミ箱の中にポリエチレン袋類を設置したとき、ゴミ箱とポリエチレン袋類間に空気が入り、ポリエチレン袋類が広がらないためゴミが入り口の近くで詰まり下に落ちなかった。
ロ、  ゴミ箱の中のゴミが溜まり、圧縮するときはゴミを直接、手や足を入れて圧縮しなければならないので手が汚れていた。
ハ、  ゴミが溜まったポリエチレン袋類をゴミ箱の中から、取り出すときは、ゴミ箱の高さ以上に持ち上げて出さなければいけなかった。
本発明は、以上の欠点を解決するためになされたものである。
【０００４】
【課題を解決するための手段】
空気弁具（１１）に、空気弁（１５）を設けた空気弁具（１１）を枠型状の外枠（１０）の下部の内側に固着し、空気弁具（１１）に、空気弁（１５）と巻き込み防止（１６）を設けた空気弁具（１１）を箱状の内枠（１２）の上部の外側に固着し、枠型状の外枠（１０）の上部から箱状の内枠（１２）を中に通し、箱状の内枠（１２）の下部に土台（１３）を固着し、枠型状の外枠（１０）の上部にポリエチレン袋類固定具（８）を合し、入り口カバー取り付け（２）に凹形（６）を設け、凸形（５）を設けた入り口カバー（１）が回転するように瘉着し、入り口カバーの取り付け（２）の両左右に凹（３）を設け、凸形（７）を設けた癒着具（４）を少し回転できるよう凹形（３）に癒着し、枠型状の外枠（１０）の上部の外側に、癒着具（４）を合着できる凸形（９）を設ける。
本発明は、以上の構成よりなるゴミ箱である。
【０００５】
【発明の実施の形態】
イ．  空気弁具（１１）に、空気弁（１５）を設けた空気弁具（１１）を枠型状の外枠（１０）の下部の内側に固着させる。
ロ．  空気弁具（１１）に、空気弁（１５）と巻き込み防止（１６）を設けた空気弁具（１１）を箱状の内枠（１２）の上部に外側に固着させる。
ハ．  枠型状の外枠（１０）の上部から箱状の内枠（１２）に中に通す。
ニ．  箱状の内枠（１２）の下部に土台（１３）を固着させる
ホ．  ポリエチレン袋類を枠型状の外枠（１０）の上部に設置しポリエチレン袋類固定具（８）で押さえる。
ヘ．  入り口カバーの取り付け（２）に凹形（６）を設け、入り口カバー（１）に凸形（５）を設け、凹形（６）に回転するように入り口カバー（１）を癒着し、入り口カバーの取り付け（２）両左右に凹形（３）を設け、凸形（７）を設けた癒着具（４）を少し回転できるように癒着させる。
ト．  外枠（６）の上部に凸を設けて癒着具（４）を合着する。
本発明は、以上の構成よりなっている。
本発明を使用するときは、
枠型状の外枠（１０）の上部の左右を持ち、枠型状の外枠（１０）を押し下げると室内（１７）の空気が空気弁具（１１）を通り室内（１８）に入り、外枠（１０）を引き上げると室内（１８）の空気が室外に除去され、枠型状の外枠（１０）を数回伸縮すると、空気が凹形（１４）を通り室内（１７）の空気が無くなりポリエチレン袋類がふくらみゴミ箱に張り付く、ゴミが溜まったとき枠型状の外枠（１０）の上部の左右を持ち、下に押縮すると圧力がかかりゴミを圧縮できる、ゴミの溜まった重いポリエチレン袋類をゴミ箱から取り出すとき、枠型状の外枠（１０）を下げると高さが半分に縮小しゴミ箱からゴミの溜まった重いポリエチレン袋類を楽に取り出せる、低い場所でも縮小して設置できる。
【０００６】
【発明の効果】
本発明を使用することによって、ゴミ箱の中にポリエチレン袋類の設置が、きれいにできゴミが詰まることがなく手足を汚さずにゴミを圧縮し、ゴミの溜まった重いポリエチレン袋類を楽に取り出せて、低い場所でも設置できる。
【図面の簡単な説明】
【図１】本発明の斜視図
【図２】本発明の高さを縮小した斜視図
【図３】本発明の高さを縮小して切り欠いた断面図
【図４】本発明の切り欠いた断面図
【図５】本発明の構造図
【図６】本発明の外枠（９）の構造図
【図７】本発明の内枠（１１）の構造図
【図８】本発明の空気弁具（１０）の一部構造図
【図９】本発明の空気弁具（１０）の切り欠いた一部断面図
【符号の説明】
１  入り口カバー
２  入り口カバーの取り付け
３  凹形
４  癒着具
５  凸形
６  凹形
７  凸形
８  ポリエチレン袋類固定具
９  凸形
１０  外枠
１１  空気弁具
１２  内枠
１３  土台
１４  凹形
１５  空気弁
１６  巻き込み防止
１７  屋内
１８  屋内
【図１】
2004175565.tif 000003
【図２】
2004175565.tif 000004
【図３】
2004175565.tif 000005
【図４】
2004175565.tif 000006
【図５】
2004175565.tif 000007
【図６】
2004175565.tif 000008
【図７】
2004175565.tif 000009
【図８】
2004175565.tif 000010
【図９】
2004175565.tif 000011
(57)【要約】【課題】昇降路内上部に駆動装置４０を設置したマシンルームレスエレベータ等では、乗かご１の移動を伴う駆動装置４０の動作確認を行う場合、駆動装置４０の近くに設けた点検口３３から行うことになるため、点検口３３が遠い場合や点検口３３がない場合には動作確認が困難だった。【解決手段】一側には開口部６１と鏡６２、他側には開口部６３と鏡６４を備えたダクト６０の一側を、駆動装置４０側に向け、他側を保守点検員等の観察者側に向けて設置しておくことにより、離れた場所から駆動装置４０の動作確認が行えるようにした。【選択図】        図１
2004175512.tif 000002
【特許請求の範囲】
【請求項１】
一側と他側の両方に鏡が配置され、一側から入った光が前記鏡を介して他側から出る構成のダクトを備え、このダクトの一側をエレベータ装置側に、他側を観察者側に向けて設置したことを特徴とするエレベータ用点検装置。
【請求項２】
乗場出入口近傍に制御盤が配置されたエレベータにおいて、前記ダクトの他側を前記制御盤を介して観察者側に向けて設置したことを特徴とする請求項１に記載のエレベータ用点検装置。
【請求項３】
前記一側にはエレベータ装置を照らす照明装置を備えていることを特徴とする請求項１又は２に記載のエレベータ用点検装置。
【請求項４】
エレベータ装置を撮影するカメラと、このカメラからの映像を見るモニタとを備えたものにおいて、前記カメラとモニタを連結するケーブルを前記ダクトに沿って配置可能としたことを特徴とする請求項１乃至３の何れかに記載のエレベータ用点検装置。
【発明の詳細な説明】
【０００１】
【発明の属する技術分野】
本発明は、エレベータ装置の保守点検等に使用する装置に係り、特にマシンルームレスエレベータの駆動装置の動作確認等に好適な装置に関するものである。
【０００２】
【従来の技術】
図２，図３は、マシンルームレスエレベータの構成を示すもので（特許文献１参照）、図２は全体概略図、図３は駆動装置付近の詳細図である。
図において、昇降路１０内には、乗かご１、その案内シーブ１１，１２、カウンターウェイト２、その吊りシーブ２１、駆動装置４０、シーブ４２、ロープグリッパー４８等が配置され、ロープエンド３１，３２が昇降路の固定側に固定された主ロープ３が、各シーブ２１，４２，１１，１２を経由して張設されている。１３は乗場ドア、１４は駆動装置４０を設置したビーム、１５はカウンターウェイト２のガイドレールであり、乗かご１のガイドレールは図示省略している。３３は昇降路１０の上部に設けられた点検口である。
【０００３】
駆動装置４０はフレーム４１にシーブ４２を取り付けるとともに、該シーブ４２の上方と両側の３箇所にプーリ４３，４４，４５を配置し、これらのプーリ４３，４４，４５にベルト４６を張設し、このベルト４６によってシーブ４２に巻き付けられた主ロープ３をシーブ４２に押圧する。上方のプーリ４３はフレーム４１の背面に取り付けたモータ（図示省略）に連結されており、ベルト４６の周回移動により、シーブ４２と主ロープ３を移動させて乗かご１を昇降させる構成になっている。また両側のプーリ４４，４５はそれぞれ位置調節機構４７によって、フレーム４１に対して高さ位置の調節が可能に取り付けられており、これら高さ位置を調節することによってベルト４６の張力を調節することができる。ロープグリッパー４８は非常時等に主ロープ３を挟持するもので油圧等によって動作する。４９はモータの回動状態を検出する検出装置、例えばロータリーエンコーダ、５０はモータのブレーキである。
【０００４】
【特許文献１】
国際公開第０２／０６４４８２号パンフレット
【０００５】
【発明が解決しようとする課題】
前記装置においては、通常の点検は乗かご１の天井に乗って行うため、ベルト４６の走行状況のように、乗かご１の移動を伴う駆動装置４０の動作確認はできない。このようなときには点検口３３を利用することになるが、建物の状況によっては点検口３３を駆動装置４０の近くに設けられない場合がある。
【０００６】
【課題を解決するための手段】
本発明は、一側と他側の両方に鏡が配置されたダクトの一側を駆動装置等のエレベータ装置側に、他側を観察者側に向けて設置することにより、離れた所からでも駆動装置等の動作確認が行えるようにしたものである。また本発明は、制御盤が乗場出入口近傍に設置されている場合には、ダクトの他側を制御盤を介して観察者側に向けて設置したものである。更に本発明は、ダクトの一側にエレベータ装置を照らす照明装置を備えたものである。更にまた本発明は、エレベータ装置を撮影するカメラと、このカメラからの映像を見るモニタとを備えた場合において、カメラとモニタを連結するケーブルをダクトに沿って配置できるようにしたものである。
【０００７】
【発明の実施の形態】
本発明の実施の形態を図１により説明する。図において、６０は乗場出入口近傍に設置された制御盤７０に取り付けられたダクトであり、一側には駆動装置４０側に開口した開口部６１と鏡６２、他側には制御盤７０内に開口した開口部６３と鏡６４を備えている。
駆動装置４０の動作確認を行うときには、制御盤７０の扉を開け、開口部６３から鏡６４，６２、開口部６１を介して駆動装置４０を観察する。これにより、乗かご１の移動を伴う駆動装置４０の動作確認が容易に行える。
【０００８】
通常マシンルームレスエレベータにおける駆動装置４０付近は暗いことが多いため、駆動装置４０を照らす照明装置を設け、開口部６３付近にこの照明装置のスイッチを配置することが望ましい。
またダクト６０は必ずしも制御盤７０内に設置する必要はなく、駆動装置４０に近い位置であればよい。更にカメラを使って駆動装置４０の動作確認を詳細に行う必要があるときには、カメラとモニタを連結するケーブルの支持体としてダクト６０を利用することもできる。
【０００９】
前記の実施の形態では駆動装置４０が昇降路１０内上部に設置されたものについて説明しているが、昇降路１０内の下部や中間部に設置されている場合や、保守点検員の入りにくい小マシンルームタイプでも同様に実施できる。また駆動装置の種類もトラクション式の駆動装置や油圧式の場合でも必要に応じて設置できる。
【００１０】
【発明の効果】
以上説明したように、本発明によれば、エレベータの駆動装置の動作確認等を容易に行うことができる。
【図面の簡単な説明】
【図１】本発明の実施の形態を示す図である。
【図２】マシンルームレスエレベータの全体概略図である。
【図３】図２の駆動装置付近の詳細図である。
【符号の説明】
１  乗かご
２  カウンターウェイト
３  主ロープ
１０  昇降路
４０  駆動装置
６０  ダクト
６１，６３  開口部
６２，６４  鏡
７０  制御盤
【図１】
2004175512.tif 000003
【図２】
2004175512.tif 000004
【図３】
2004175512.tif 000005
(57)【要約】【課題】簡単安価に噴霧塗装する。【解決手段】上面外周付近に環状溝１を形成した照明器具用枠２を逆にした状態で、前記環状溝１に嵌め合わせられて前記照明器具用枠２を支持する筒状冶具３を備え、前記照明器具用枠２が前記筒状冶具３に支持された状態で前記照明器具用枠２の内外面に塗料４を噴霧している。さらに、環状溝１の裏面に対応する凸部５の内方側全面にマスキング板６を置いて塗料４を噴霧している。【選択図】  図４
2004362867.tif 000002
【特許請求の範囲】
【請求項１】
上面外周付近に環状溝を形成した照明器具用枠を逆にした状態で、前記環状溝に嵌め合わせられて前記照明器具用枠を支持する筒状冶具を備え、前記照明器具用枠が前記筒状冶具に支持された状態で前記照明器具用枠の内外面に塗料を噴霧するものである照明器具用枠の塗装方法。
【請求項２】
請求項１において、環状溝の裏面に対応する凸部の内方側全面にマスキング板を置いて塗料を噴霧するものである照明器具用枠の塗装方法。
【発明の詳細な説明】
【０００１】
【発明の属する技術分野】
本発明は、照明器具用枠の塗装方法に関する。
【０００２】
【従来の技術】
照明器具用枠は照明器具の外周を構成する部材であり、一般に樹脂材料で成形される。さらに、外観を向上するために樹脂材料に塗装を施すことが多い。その塗装方法としては、照明器具用枠を逆にした状態で噴霧塗装してから乾燥させ、次に通常の方向にした状態で再び噴霧塗装していた。
【０００３】
【発明が解決しようとする課題】
しかし、乾燥時間をはさんで２回の塗装を行うことになるため、相当な時間と手数を要し、コストアップの要因になっていた。本発明はこのような解決すべき課題を鑑み、簡単安価に噴霧塗装することを目的とする。
【０００４】
【課題を解決するための手段】
本発明を要約すると、上面外周付近に環状溝を形成した照明器具用枠を逆にした状態で、前記環状溝に嵌め合わせられて前記照明器具用枠を支持する筒状冶具を備え、前記照明器具用枠が前記筒状冶具に支持された状態で前記照明器具用枠の内外面に塗料を噴霧するものである照明器具用枠の塗装方法である。また、環状溝の裏面に対応する凸部の内方側全面にマスキング板を置いて塗料を噴霧してもよい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図４に示す塗装方法は、上面外周付近に環状溝１を形成した照明器具用枠２を逆にした状態で、前記環状溝１に嵌め合わせられて前記照明器具用枠２を支持する筒状冶具３を備え、前記照明器具用枠２が前記筒状冶具３に支持された状態で前記照明器具用枠２の内外面に塗料４を噴霧している。さらに、環状溝１の裏面に対応する凸部５の内方側全面にマスキング板６を置いて塗料４を噴霧している。
【０００７】
さらに図１〜３も参照して詳述すれば、本照明器具は、天井７に取りつけられる本体８と、本体８の下面に保持されたランプ９と、本体８に取りつけられてランプ９の下面を覆うグローブ１０を備えている。そして、前記照明器具用枠２は、その水平面部が本体８の上面にビス１１などで固定され、外周の枠部がグローブ１０の外側面に垂れ下がるように配置されている。
【０００８】
図４で示した塗装方法によると、照明器具用枠２において、筒状冶具３の内方側には塗装がかからないが、その部分は図１・図２などで分かるように天井７側に位置する不可視部分である。また、マスキング板６を置いて塗装した場合は、照明器具用枠２の凸部５より内方側には塗装されないが、ここも本体８の裏面に位置する実質不可視部分となる。なお、本発明は、不可視部分を無塗装とすることや可視部分を有塗装とすることに限定されるものではない。
【０００９】
本塗装方法によれば、環状溝１を介して照明器具用枠２が筒状冶具３に支持された状態で、照明器具用枠２の内外面に塗料４を噴霧するものであるので、照明器具用枠２が筒状冶具３に安定確実に支持された状態で塗装でき、かつ、筒状冶具３の環状溝１に対する食い込みにより塗装／無塗装の区分が明確になる上、１回塗装のため、すこぶる安価に塗装可能となる。
【図面の簡単な説明】
【図１】本発明の方法により塗装された枠を備えた照明器具の半断面図
【図２】同一部拡大断面図
【図３】同枠の要部拡大断面図
【図４】本発明の塗装方法の一例を示す半断面図
【符号の説明】
１  環状溝
２  照明器具用枠
３  筒状冶具
４  塗料
５  凸部
６  マスキング板
【図１】
2004362867.tif 000003
【図２】
2004362867.tif 000004
【図３】
2004362867.tif 000005
【図４】
2004362867.tif 000006
(57)【要約】【課題】受信部ケースの取付状態を安定化し、薄型の照明器具を容易に実現可能とした照明器具を提供する。【解決手段】本体１と、この本体１の下面に設けた絶縁板２と、この絶縁板２の下面に配置されたリモコン信号の受信部ケース３と、受信部ケース３が臨む窓孔４が形成され前記本体１に固定される反射板５とを備え、前記窓孔４の内縁に折り曲げ片６を立ち上げ、この折り曲げ片６の先端で前記受信部ケース３の外側に突出形成した段部（受信部ケース３の外側上端付近にある）７を支持した照明器具である。なお、受信部ケース３の上面は絶縁板２に形成した台部９に当接している。また、本体１の下面に設けた点灯回路基板８の下面に受信部ケース３を配置して、前記折り曲げ片６で前記段部７を支持してもよい。【選択図】  図１
2004362846.tif 000002
【特許請求の範囲】
【請求項１】
本体と、この本体の下面に設けた絶縁板と、この絶縁板の下面に配置されたリモコン信号の受信部ケースと、受信部ケースが臨む窓孔が形成され前記本体に固定される反射板とを備え、前記窓孔の内縁に折り曲げ片を立ち上げ、この折り曲げ片の先端で前記受信部ケースの外側に突出形成した段部を支持した照明器具。
【請求項２】
本体と、この本体の下面に設けた点灯回路基板と、この点灯回路基板の下面に配置されたリモコン信号の受信部ケースと、受信部ケースが臨む窓孔が形成され前記本体に固定される反射板とを備え、前記窓孔の内縁に折り曲げ片を立ち上げ、この折り曲げ片の先端で前記受信部ケースの外側に突出形成した段部を支持した照明器具。
【発明の詳細な説明】
【０００１】
【発明の属する技術分野】
本発明は、リモコン信号の受信部ケースを備えた照明器具に関する。
【０００２】
【従来の技術】
この種の照明器具では、本体と、この本体の下面に設けた絶縁板と、この絶縁板の下面に配置されたリモコン信号の受信部ケースと、受信部ケースが臨む窓孔が形成され前記本体に固定される反射板とを備え、前記窓孔の内縁で前記受信部ケースの外側に突出形成した段部を支持していた。
【０００３】
【発明が解決しようとする課題】
しかし、受信部ケースの取付状態にガタが発生しやすく、反射板からの下方への突出高さもかなり大きく、薄型の照明器具を提供しにくかった。本発明はこのような解決すべき課題を鑑み、受信部ケースの取付状態を安定化し、薄型の照明器具を容易に実現可能とした照明器具を提供することを目的とする。
【０００４】
【課題を解決するための手段】
本発明を要約すると、本体と、この本体の下面に設けた絶縁板と、この絶縁板の下面に配置されたリモコン信号の受信部ケースと、受信部ケースが臨む窓孔が形成され前記本体に固定される反射板とを備え、前記窓孔の内縁に折り曲げ片を立ち上げ、この折り曲げ片の先端で前記受信部ケースの外側に突出形成した段部を支持した照明器具である。また、本体の下面に設けた点灯回路基板の下面に受信部ケースを配置して、前記折り曲げ片で前記段部を支持してもよい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、本体１と、この本体１の下面に設けた絶縁板２と、この絶縁板２の下面に配置されたリモコン信号の受信部ケース３と、受信部ケース３が臨む窓孔４が形成され前記本体１に固定される反射板５とを備え、前記窓孔４の内縁に折り曲げ片６を立ち上げ、この折り曲げ片６の先端で前記受信部ケース３の外側に突出形成した段部（受信部ケース３の外側上端付近にある）７を支持した照明器具である。なお、受信部ケース３の上面は絶縁板２に形成した台部９に当接している。また、本体１の下面に設けた点灯回路基板８の下面に受信部ケース３を配置して、前記折り曲げ片６で前記段部７を支持してもよい。
【０００７】
さらに詳述すれば、本体１の中央にはよく知られた天井取付機構１０が固定され、本体１の外周付近にはグローブ取付具１１、グローブガイド１２、蛍光ランプソケット１３などが取り付けられる。絶縁板２の中央には天井取付機構１０を収める絶縁壁１５が下向きに突出形成される。絶縁板２は、豆球ソケット１６を絶縁板２の下面に固定するビス１７を絶縁板２を貫通させて本体１に螺合するとか、他の適宜箇所を図示しないビスで本体１に固定するなど適宜手段で本体１に固定される。また、点灯回路基板８は絶縁板２の外周縁などに形成した係止爪（実質的に図示せず）などで絶縁板２に装着固定される。
【０００８】
反射板５の中央には天井取付機構１０を操作するための窓孔２０が形成される。反射板５はビス２１にて本体１に固定され、ランプ支持具２２…もビスで本体１と反射板５に各々固定される。環状の蛍光ランプ２３は蛍光ランプソケット１３とランプ支持具２２に装着され、豆球２４は反射板５の孔２５を通じて豆球ソケット１６に装着される。
【０００９】
本実施形態によれば、反射板５に形成した窓孔４の内縁に立ち上げた折り曲げ片６の先端で受信部ケース３の外側に突出形成した段部７を支持したため、受信部ケース３の側面に折り曲げ片６が位置するようになり、受信部ケース３の取付状態が安定化する。さらに、受信部ケース３を従来よりも反射板５の内部に入り込む方向に配置できるため、その分、薄型の照明器具を容易に実現可能となる。
【図面の簡単な説明】
【図１】要部組立断面図
【図２】同反射板の上面斜視図
【図３】同全体分解斜視図
【符号の説明】
１  本体
２  絶縁板
３  受信部ケース
４  窓孔
５  反射板
６  折り曲げ片
７  段部
８  点灯回路基板
【図１】
2004362846.tif 000003
【図２】
2004362846.tif 000004
【図３】
2004362846.tif 000005
(57)【要約】【課題】絶縁板の固定を効率よく行える。【解決手段】金属製の本体１と、この本体１の下面に設けた絶縁板２を介して設けられた点灯回路基板３と、この点灯回路基板３の下面に設けられ前記本体１に固定された反射板４とを備え、前記絶縁板２には下向きの突起５が適所に設けられ、この突起５の下端を前記反射板４の上面で支持した照明器具である。【選択図】  図１
2004362845.tif 000002
【特許請求の範囲】
【請求項１】
金属製の本体と、この本体の下面に設けた絶縁板を介して設けられた点灯回路基板と、この点灯回路基板の下面に設けられ前記本体に固定された反射板とを備え、前記絶縁板には下向きの突起が適所に設けられ、この突起の下端を前記反射板の上面で支持した照明器具。
【発明の詳細な説明】
【０００１】
【発明の属する技術分野】
本発明は、本体と点灯回路基板の間に介在する絶縁板を備えた照明器具に関する。
【０００２】
【従来の技術】
この種の照明器具では、金属製の本体と、この本体の下面に設けた絶縁板を介して設けられた点灯回路基板と、この点灯回路基板の下面に設けられ前記本体に固定された反射板とを備えている。そして、絶縁板の裏面には多数の凸部が突出形成され、これらの凸部を本体に形成した多数の孔に各々挿入してから、それらの凸部の先端を溶着することにより、絶縁板を本体に固定していた。また、溶着設備がない場合は絶縁板を多数のビスにより本体に固定していた。
【０００３】
【発明が解決しようとする課題】
しかし、溶着止め用の凸部やビスを減らすと絶縁板が垂れ下がりやすいため、いずれの手法でも絶縁板の固定は工数がかかり生産効率が向上できないという解決すべき課題があることに着目されるべきである。本発明はこのような解決すべき課題を鑑み、絶縁板の固定を効率よく行えることを目的とする。
【０００４】
【課題を解決するための手段】
本発明を要約すると、金属製の本体と、この本体の下面に設けた絶縁板を介して設けられた点灯回路基板と、この点灯回路基板の下面に設けられ前記本体に固定された反射板とを備え、前記絶縁板には下向きの突起が適所に設けられ、この突起の下端を前記反射板の上面で支持した照明器具である。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、金属製の本体１と、この本体１の下面に設けた絶縁板２を介して設けられた点灯回路基板３と、この点灯回路基板３の下面に設けられ前記本体１に固定された反射板４とを備え、前記絶縁板２には下向きの突起５が適所に設けられ、この突起５の下端を前記反射板４の上面で支持した照明器具である。
【０００７】
さらに詳述すれば、本体１の中央にはよく知られた天井取付機構６が固定され、本体１の外周付近にはグローブ取付具７、グローブガイド８、蛍光ランプソケット９などが取り付けられる。絶縁板２の中央には天井取付機構６を収める絶縁壁１０が下向きに突出形成される。絶縁板２は、豆球ソケット１１を絶縁板２の下面に固定するビス１２を絶縁板２を貫通させて本体１に螺合するとか、他の適宜箇所を図示しないビスで本体１に固定するなど、比較的少数のビスで本体１に一応固定しておいてもよい。また、点灯回路基板３は絶縁板２に形成した係止爪（実質的に図示せず）などで絶縁板２に装着固定される。
【０００８】
リモコン受信部１３は点灯回路基板３の下面適所に嵌め合わされ、その下面が反射板４の窓孔１４に露出する。反射板４の中央には天井取付機構６を操作するための窓孔１５が形成される。反射板４はビス１６にて本体１に固定され、ランプ支持バネ１７…は図示しないビスで反射板４または本体１に固定されるものがある。蛍光ランプ１８は蛍光ランプソケット９とランプ支持バネ１７に装着され、豆球１９は反射板４の孔２０を通じて豆球ソケット１１に装着される。
【０００９】
本実施形態によれば、絶縁板２の垂れ下がりやすい箇所を突起５…を介して反射板４で支持するという新規手段を採用したことにより、従来の溶着止め用の凸部やビスの数を減少または皆無にできるため、生産効率の向上に著しく寄与するものとなる。
【図面の簡単な説明】
【図１】簡略化して示す要部組立断面図
【図２】分解斜視図
【符号の説明】
１  本体
２  絶縁板
３  点灯回路基板
４  反射板
５  突起
【図１】
2004362845.tif 000003
【図２】
2004362845.tif 000004
(57)【要約】【課題】本体と反射板で囲まれた空間の容積を少しでも大きくできる照明器具を提供する。また、反射板の本体への位置決めを良好にする。【解決手段】本体１と、この本体１の下面に設けた点灯回路基板２と、この点灯回路基板２の下面に設けられ前記本体１に固定された反射板３と、前記本体１に固定したランプ支持具（ランプ支持バネ）４で支持された環状の蛍光ランプ５とを備え、前記ランプ支持具４の取付基部は前記反射板３の外周縁に形成した切り欠き６に位置された照明器具である。また、本体１におけるランプ支持具４の取付基部付近を反射板３の切り欠き６が嵌め合わされるように下向きに段差状に突出させている（段差突出部７）。【選択図】  図１
2004362844.tif 000002
【特許請求の範囲】
【請求項１】
本体と、この本体の下面に設けた点灯回路基板と、この点灯回路基板の下面に設けられ前記本体に固定された反射板と、前記本体に固定したランプ支持具で支持された蛍光ランプとを備え、前記ランプ支持具の取付基部は前記反射板の外周縁に形成した切り欠きに位置された照明器具。
【請求項２】
請求項１において、本体におけるランプ支持具の取付基部付近を反射板の切り欠きが嵌め合わされるように下向きに段差状に突出させた照明器具。
【発明の詳細な説明】
【０００１】
【発明の属する技術分野】
本発明は、蛍光ランプを点灯するための点灯回路基板を備えた照明器具に関する。
【０００２】
【従来の技術】
この種の照明器具では、本体と、この本体の下面に設けた点灯回路基板と、この点灯回路基板の下面に設けられ前記本体に固定された反射板と、前記本体に固定したランプ支持具（ランプ支持バネ）で支持された蛍光ランプとを備えていた。
【０００３】
【発明が解決しようとする課題】
しかし、反射板はランプ支持具を完全に避けているため、反射板の外径が小さくなって本体と反射板で囲まれた空間の容積も減少していた。殊に最近では薄型の照明器具が流行になっており、そのような照明器具では本体と反射板をできる限り近づけていた。このため、さらに本体と反射板で囲まれた空間の容積が減少し、点灯回路基板に搭載した回路素子の温度上昇が大きくなり、その寿命に悪影響を与えかねない。本発明はこのような解決すべき課題を鑑み、本体と反射板で囲まれた空間の容積を少しでも大きくできる照明器具を提供することを目的とする。また、反射板の本体への位置決めを良好にすることを付加目的としている。
【０００４】
【課題を解決するための手段】
本発明を要約すると、本体と、この本体の下面に設けた点灯回路基板と、この点灯回路基板の下面に設けられ前記本体に固定された反射板と、前記本体に固定したランプ支持具で支持された蛍光ランプとを備え、前記ランプ支持具の取付基部は前記反射板の外周縁に形成した切り欠きに位置された照明器具である。また、本体におけるランプ支持具の取付基部付近を反射板の切り欠きが嵌め合わされるように下向きに段差状に突出させると好ましい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、本体１と、この本体１の下面に設けた点灯回路基板２と、この点灯回路基板２の下面に設けられ前記本体１に固定された反射板３と、前記本体１に固定したランプ支持具（ランプ支持バネ）４で支持された環状の蛍光ランプ５とを備え、前記ランプ支持具４の取付基部は前記反射板３の外周縁に形成した切り欠き６に位置された照明器具である。また、本体１におけるランプ支持具４の取付基部付近を反射板３の切り欠き６が嵌め合わされるように下向きに段差状に突出させている（段差突出部７）。なお、蛍光ランプ５の他に外径のより小さい蛍光ランプ８があり、蛍光ランプ８については反射板３に固定したランプ支持具９で支持されている。
【０００７】
さらに詳述すれば、本体１の中央にはよく知られた天井取付機構１０が固定され、本体１の外周付近にはグローブ取付具１１、グローブガイド１２、蛍光ランプソケット１３などが取り付けられる。本体１の下面に固定される絶縁板１４の中央には天井取付機構１０を収める絶縁壁１５が下向きに突出形成される。絶縁板１４は、豆球ソケット１６を絶縁板１４の下面に固定するビス１７を絶縁板１４を貫通させて本体１に螺合するとか、他の適宜箇所を図示しないビスで本体１に固定するなど適宜手段で本体１に固定される。また、点灯回路基板２は絶縁板１４の外周縁などに形成した係止爪（実質的に図示せず）などで絶縁板１４に装着固定される。
【０００８】
リモコン受信部１８は点灯回路基板２の下面適所に嵌め合わされ、その下面が反射板３の窓孔１９に露出する。反射板３の中央には天井取付機構１０を操作するための窓孔２０が形成される。反射板３はビス２１にて本体１に固定され、ランプ支持具４、９もビスで本体１と反射板３に各々固定される。蛍光ランプ５、８は蛍光ランプソケット１３とランプ支持具４、９に各々装着され、豆球２２は反射板３の孔２３を通じて豆球ソケット１６に装着される。
【０００９】
本実施形態によれば、ランプ支持具４の取付基部は反射板３の外周縁に形成した切り欠き６に位置されている。すなわち、ランプ支持具４が存在する箇所付近以外では反射板３の外径をできる限り大きく確保できるから、反射板３と本体１で囲まれた空間の容積も大きくでき、これにより点灯回路基板２に搭載した回路素子（例えば、熱に弱い電解コンデンサ・半導体素子など）の温度上昇を低下でき、それら素子の寿命に好影響を与える。殊に最近では薄型の照明器具が流行しているが、本発明は、本体１と反射板３をできる限り近づけた薄型の照明器具を生産する上で有益な利用を図ることができる。また、本体１におけるランプ支持具４の取付基部付近を反射板３の切り欠き６が嵌め合わされるように下向きに段差状に突出させている（段差突出部７）ため、反射板３を本体１に組立固定するに先だって反射板３を本体１に良好に位置決めできるため、組立生産性を向上できる。
【図面の簡単な説明】
【図１】要部組立斜視図
【図２】同断面図
【図３】同全体分解斜視図
【符号の説明】
１  本体
２  点灯回路基板
３  反射板
４  ランプ支持具
５  蛍光ランプ
６  切り欠き
７  段差突出部
【図１】
2004362844.tif 000003
【図２】
2004362844.tif 000004
【図３】
2004362844.tif 000005
(57)【要約】【課題】タッチパネル清掃専用のアプリケーションソフトを必要とせず、タッチパネルの清掃を行う場合に操作上の誤入力を防ぐこと。【解決手段】コントローラ１０２は、外部装置１０１の情報がＯＮかＯＦＦを検出し、判断部１０６に出力する。判断部１０６は、外部装置の情報から、外部装置の情報がＯＮかＯＦＦを判断する。外部装置がＯＮと判断された場合はクリーニングモードと判断し動作を行う。外部装置がＯＦＦと判断された場合は通常モードで動作を行う。【選択図】  図１
2004362518.tif 000002
【特許請求の範囲】
【請求項１】
画面上に重ねて設置する透明なパネルと外部装置で構成されているシステムで、タッチパネルデバイスドライバと専用アプリケーションソフトを組み込まずに、その外部装置の状態でシステムを稼動させたままでもタッチパネルの清掃時の誤動作を防ぐことを特徴とするクリーニングモードを備えたタッチパネル入力装置。
【請求項２】
画面上に重ねて設置する透明なパネルと外部装置で構成されているシステムで、タッチパネルデバイスドライバと専用アプリケーションソフトを組み込まずに、その外部装置の状態でシステムを再起動させずにタッチパネルの清掃時の誤動作を防ぐことを特徴とするクリーニングモードを備えたタッチパネル入力装置。
【発明の詳細な説明】
【０００１】
【発明の属する技術分野】
本発明は、画面上に重ねて設置する透明なタッチパネルを清掃するタッチパネル清掃方法に係わる。
【０００２】
【従来の技術】
タッチパネルを有するシステムにおいて、タッチパネルは、表示装置に重ねて設置されており、指やペンなどで触る頻度が多い為、指紋や手垢などの汚れを生じ易い。その為、定期的にタッチパネルを清掃する必要がある。
【０００３】
しかしながら、システムを稼動させたまま、タッチパネルを清掃する際に情報を誤入力するという問題がある為、特開平８−２２３７５号公報等に記載されているように、システムを稼動させた状態での画面清掃の際に、タッチパネルドライバ、専用アプリケーションソフトを使用し、所定の時間タッチパネルから受ける位置座標信号に無反応な清掃用状態とすることにより、画面の清掃による誤動作を防止している。また、その他にも予めシステムを停止させてタッチパネルを清掃し、清掃完了後、システムを再起動させるものが提案されている。
【０００４】
【発明が解決しようとする課題】
しかし、従来の方法においては、システムを停止させる方法では、緊急時の情報等、必要な情報を見逃してしまうという問題がある。また、タッチパネルを清掃する際にタッチパネルの入力に無反応な清掃用状態に切り替えて誤入力を防ぐ方法では、専用アプリケーションを起動して、清掃用状態に切り替える指示を行う必要がある。さらに、所定の時間、清掃用状態とする方法では、清掃の時間を任意に設定できないという問題もある。
【０００５】
本発明は、タッチパネルの清掃作業を行う場合に、システムを稼動させた状態でも、専用アプリケーションを起動させることなく、簡単に任意の時間タッチパネルの清掃を行えるクリーニングモードを備えたタッチパネル入力装置を提供することを目的とする。
【０００６】
【課題を解決するための手段】
上記課題を解決するために、タッチパネルを有するシステムに外部装置を設け、その状態で通常の操作をする通常モード、タッチパネルを清掃するクリーニングモードという判断をさせる。
【０００７】
クリーニングモードとは、外部装置の状態によって判断されるものであり、その判断後は、タッチパネルの検出を無効にするモードである。このモードに設定しておけば、タッチパネルの反応は無効となっている為、誤入力も起こらない。よって、前記目的を達せられる。
【０００８】
【発明の実施の形態】
図１は、本発明に係る外部装置の制御プログラムのフローチャートを示す。
図２は、本発明に係るクリーニングモードを備えたタッチパネル入力装置のブロック構成図を示す。本説明では、例として、外部装置にスイッチを使用した場合で説明する。
【０００９】
タッチパネルを有するシステムが稼動すると、コントローラ１０２内の判断部１０４にて外部装置１０１（以下、スイッチと表す）が押されている（以下、ＯＮと表す）押されていない（以下、ＯＦＦと表す）を判断する。（Ｓ１）
【００１０】
判断部１０４にて、スイッチがＯＮと判断すればクリーニングモードと判断する。その時、位置情報送信部１０５へはデータは送らない。その為、パーソナルコンピュータ１０９にもデータは送られず、表示装置１１０のカーソル１１１は移動しない。（Ｓ２）
【００１１】
また、判断部１０４にて、スイッチがＯＦＦと判断すれば通常モードと判断する。その時、位置情報送信部１０５へはタッチパネル１００で検出された位置データをコンピュータ１０７へ送り、表示装置１１０のカーソル１１１をタッチした位置へ移動する。（Ｓ３）
【００１２】
上記より、スイッチがＯＮの間は、表示装置１１０のカーソルは移動しない為、タッチパネルによる誤入力をしない清掃が可能となる。
【００１３】
本説明では、例として、外部装置にスイッチを利用し、そのスイッチを押している間はクリーニングモード、押していない間は通常モードとしているが、スイッチ制御の設定方法は無限大である。例えば、１回押す毎にクリーニングモード、通常モードを繰り返して行う清掃方法などの制御方法でもタッチパネルの清掃が可能である。また、スイッチに代わる装置としてＯＮかＯＦＦが区別可能なものであれば従来技術で容易に実現可能である。
【００１４】
【発明の効果】
本発明によって、タッチパネルまたは表示装置画面の清掃等の作業を行う場合に、タッチパネルに使用するタッチパネルドライバ、専用アプリケーションソフトを使用せずに、情報の誤入力を防ぐことのできるクリーニングモードを備えたタッチパネル入力装置を提供できる。
【図面の簡単な説明】
【図１】本発明の実施の形態における外部装置を制御するフローチャート
【図２】本発明の実施の形態におけるブロック構成図
【符号の説明】
１００  タッチパネル
１０１  外部装置
１０２  コントローラ
１０３  位置検出部
１０４  判断部
１０５  データ記憶部
１０６  位置情報送信部
１０７  マウス用デバイスドライバ
１０８  オペレーティング・システム
１０９  パーソナルコンピュータ
１１０  表示装置
【図１】
2004362518.tif 000003
【図２】
2004362518.tif 000004
(57)【要約】【課題】タッチパネルのキャリブレーション方法において、タッチパネルデバイスドライバ、専用アプリケーションをパーソナルコンピュータに組み込み無しでキャリブレーションを行えることを目的とする。【解決手段】ＯＳに標準的に装備されているマウス用デバイスドライバと表示装置に表示されるカーソルを用いることで、タッチパネルのキャリブレーションを行う。【選択図】    図１
2004362519.tif 000002
【特許請求の範囲】
【請求項１】
画面上に重ねて設置する透明なパネルであって、パーソナルコンピュータに標準で装備されているマウス用デバイスドライバを用いて、指やペンを用い、タッチパネルのキャリブレーションを行うことを特徴とするタッチパネル。
【発明の詳細な説明】
【０００１】
【発明の属する技術分野】
本発明は、タッチパネルのキャリブレーション方法に関する。
【０００２】
【従来の技術】
タッチパネルを有するシステムは、使用開始時、タッチパネルの入力位置とタッチパネルにより検出された位置情報を一致させる為、キャリブレーションを行う必要がある。また、経時変化等によりタッチパネルの入力位置がずれたとき、再キャリブレーションをする必要がある。
【０００３】
キャリブレーションの方法については、特開２０００−０８９９１３号などに公開されている。このキャリブレーション方法は、タッチパネル用デバイスドライバ，キャリブレーション専用アプリケーションソフトを使用したキャリブレーション方法となっている。
【０００４】
【発明が解決しようとする課題】
従来の方法では、キャリブレーション専用アプリケーションにより、表示装置にキャリブレーションにおける目印画像を表示させ、その目印を指やペンなどで押下した時にタッチパネルにより検出された座標はタッチパネルデバイスドライバへ送られ、パーソナルコンピュータのオペレーティング・システム（以下、ＯＳと表す）へ送られる。その座標と目印画像の座標を用いてキャリブレーションを行っていた。
【０００５】
このようなソフトはその作成が容易ではなく、パーソナルコンピュータの種類やＯＳの種類に応じてそれぞれを作成する必要があるため、開発に要するコスト、期間は作成者にとって大きな負担となる。また、これらのソフトはパーソナルコンピュータに組み込む必要があり、利用者の利便性を損ねていた。
【０００６】
本発明の目的は、ＯＳに標準で装備されているマウス用デバイスドライバで、タッチパネルのキャリブレーションを行うタッチパネルを提供することにある。
【０００７】
【課題を解決するための手段】
上記課題を解決するため、本発明は、表示装置のカーソルを移動させてキャリブレーション時に必要な情報を取得し、その時にタッチパネルより検出される座標をマウス用デバイスドライバへ送り、パーソナルコンピュータのＯＳへ送る。その座標とカーソルの座標をもとにタッチパネルのキャリブレーションを行う。
【０００８】
また、マウス用デバイスドライバは、ＯＳに標準的に装備されているものであり、組み込みの必要もない。よって、前記目的が達せられる。
【０００９】
【発明の実施の形態】
図１は、本発明に係るタッチパネル入力装置のブロック構成図を示す。
図２は、本発明に係るキャリブレーションモード時のフローチャートを示す。キャリブレーションモードとなると、コントローラ１０１内の位置情報送信部１０４、パーソナルコンピュータ１０７を介して、表示装置１０８に表示されるカーソル１０９を図２の位置に移動させる。（Ｓ１）
【００１０】
図３に示すように、表示装置１０８にカーソル１０９が表示されている。
【００１１】
図４に示すように、カーソル１０９の矢印部分を指、又はペンで押下する。タッチパネル１００から入力された位置情報は、コントローラ１０１内の位置情報検出部１０２にて検出され、その位置情報をデータ記憶部１０３に記憶する。その記憶されたデータは記憶データ１とする。（Ｓ２，Ｓ３）
【００１２】
データ記憶部１０３に記憶データ１を確保後、コントローラ１０１内の位置情報送信部１０４より、表示装置１０８に表示されるカーソル１０９を図５の位置に移動させる。（Ｓ４）
【００１３】
図６に示すように、カーソル１０９の矢印部分を指，又はペンで押下する。タッチパネル１００から入力された位置情報はコントローラ１０１内の位置検出部１０２にて検出され、その位置情報をデータ記憶部１０３に記憶される。その記憶されたデータは記憶データ２とする。（Ｓ５，Ｓ６）
【００１４】
記憶データ部１０３に、記憶データ１と記憶データ２の両方を確保後、キャリブレーション終了となる。（Ｓ７）
【００１５】
上記の説明では、表示装置１０８に表示されるカーソル１０９の位置情報を元にキャリブレーションを行っている。カーソル１０９を移動させるデータのやり取りは、マウス用デバイスドライバ１０５により行われており、タッチパネル用デバイスドライバは使用していない。記憶する位置は、どの場所でもキャリブレーションが行える位置情報であれば全て可能である。この位置情報もコントローラ１０１内で処理しており、キャリブレーション専用ソフトを使用していない。よって前記課題が達せられる。
【００１６】
本説明では、記憶データ１と記憶データ２の２点でのキャリブレーション方法となっている。図７では、記憶データを４点としたキャリブレーションの例である。記憶する点を増やすことにより、更に精度の良いキャリブレーションも可能である。
【００１７】
【発明の効果】
本発明では、マウス用デバイスドライバを使用することにより、タッチパネル用デバイスドライバ，キャリブレーション用専用アプリケーションソフト無しでキャリブレーションを行うことが可能である。これにより、パーソナルコンピュータに前記のソフトを組み込むことを必要としないタッチパネルのキャリブレーション方法を提供できる。
【図面の簡単な説明】
【図１】本発明の実施の形態におけるブロック構成図
【図２】本発明の実施の形態におけるキャリブレーション方法のフローチャート
【図３】記憶データ１の記憶位置
【図４】記憶データ１の記憶方法
【図５】記憶データ２の記憶位置
【図６】記憶データ２の記憶方法
【図７】記憶データを増やしたデータ記憶方法
【符号の説明】
１００  タッチパネル
１０１  コントローラ
１０２  位置検出部
１０３  データ記憶部
１０４  位置情報送信部
１０５  マウス用デバイスドライバ
１０６  オペレーティング・システム
１０７  パーソナルコンピュータ
１０８  表示装置
１０９  カーソル
【図１】
2004362519.tif 000003
【図２】
2004362519.tif 000004
【図３】
2004362519.tif 000005
【図４】
2004362519.tif 000006
【図５】
2004362519.tif 000007
【図６】
2004362519.tif 000008
【図７】
2004362519.tif 000009